(57)【要約】      （修正有）【課題】多用途、実用的であり、設置及び取り外しが簡単な、ラウドスピーカ又はアンプの固定キットを提供する。【解決手段】固定キット１が、ラウドスピーカ又はアンプのフレーム２、支持プレート３、及び、フレーム２を支持プレート３に固定するための複数の固定装置４を備え、各固定装置４は、中間のプレート５０、フレームの取り付け部２１に係合する第１の係合要素６、及び、支持プレートの貫通穴３０に係合する第２の係合要素７を備える。第１の係合要素６及び第２の係合要素７は、弾性的な係合要素であり、第１の係合要素６は、中間のプレート５０から突出する２つの弾性ウイングを含み、各弾性ウイングは、フレームの取り付け部のシャンクの縁に係合する段部を画定するように外方に突出する保持歯を有する。【選択図】図１
0003214076.tif 000002
【実用新案登録請求の範囲】
【請求項１】
ラウドスピーカ又はアンプフレームを支持プレートに固定するのに使用される固定キット（１）であって、
−ラウドスピーカ又はアンプのフレーム（２）であって；貫通穴（２２）が設けられる複数の取り付け部（２１）を有する、フレーム（２）、
−複数の貫通穴（３０）が設けられる支持プレート（３）、及び
−前記フレーム（２）を前記支持プレート（３）に固定するための複数の固定装置（４）を備え；
各固定装置（４）は：
−中間のプレート（５０）、
−前記フレームの前記取り付け部（２１）に係合する、前記中間のプレート（５０）の一方の側から突出する第１の係合要素（６）、及び
−前記支持プレートの前記貫通穴（３０）に係合する、前記中間のプレート（５０）の反対側から突出する第２の係合要素（７）
を備え；
前記第１の係合要素（６）及び前記第２の係合要素（７）は、弾性的なクリック連結モードで係合するのに適した、弾性的な係合要素であり；
前記フレームの前記取り付け部（２１）はフランジ（２０）を含み、前記貫通穴（２２）は、終端縁（２５）を形成するように得られ；
前記固定装置の前記第１の係合要素（６）は、前記中間のプレート（５０）から突出する２つの弾性ウイング（６０）を含み、各弾性ウイングは、前記フレームの前記取り付け部の前記縁（２５）に係合する段部（６２）を画定するように外方に突出する保持歯（６１）を有する、固定キット。
【請求項２】
前記第１の係合要素の各弾性ウイングの各保持歯（６１）は、終端縁（６５）において接合される外側テーパ状面（６３）及び内側テーパ状面（６４）を有し、前記保持歯が、前記段部（６２）から該保持歯の前記終端縁（６５）まで進む低減する厚さを有するテーパ状の形状を有するようにする、請求項１に記載の固定キット。
【請求項３】
前記第１の係合要素の前記弾性ウイング（６０）は、前記中間のプレートの中心を通る軸（Ａ）に対して反対の位置に配置され、前記弾性ウイング（６０）が弾性的に内方に曲がることができるように、前記弾性ウイング（６０）間に空いたスペース（Ｓ）が残る、請求項１又は２に記載の固定キット。
【請求項４】
前記固定装置の前記第２の係合要素（７）は：
−前記中間のプレート（５０）から突出するとともに頭部（７１）で終端するステム（７０）、
−前記ステムの前記頭部（７１）から前記中間のプレート（５０）に向かって突出する２つの弾性ウイング（７２）であって、各弾性ウイング（７２）は、前記支持プレート（３）の前記貫通穴（３０）の境界に係合する終端縁（７５）を有する、請求項１〜３のいずれか一項に記載の固定キット。
【請求項５】
前記第２の係合要素の前記ウイングの前記終端縁（７５）は、３０°〜６０°の角度（α）だけ前記中間のプレート（５０）に対して傾斜する、請求項４に記載の固定キット。
【請求項６】
前記第２の係合要素の前記ウイングの前記終端縁（７５）は、刻み目のある又はギザギザの面を有する、請求項４又は５に記載の固定キット。
【請求項７】
前記第２の係合要素の各弾性ウイング（７２）は、終端縁（７５）において接合される外側テーパ状面（７３）及び内側テーパ状面（７４）を有し、前記第２の係合要素の前記弾性ウイング（７２）が、前記第２の係合要素の前記ステムの前記頭部（７１）から前記第２の係合要素の前記弾性ウイングの前記終端縁（７５）に向かって進む低減する厚さを有するテーパ状の形状を有するようにする、請求項４〜６のいずれか一項に記載の固定キット。
【請求項８】
前記第２の係合要素の前記ステム（７０）は、前記中間のプレート（５０）の中心を通る軸（Ａ）に対応して配置され、前記第２の係合要素の前記弾性ウイング（７２）は、前記第１の係合要素の前記弾性ウイング（６０）と位置合わせして配置される、請求項４〜７のいずれか一項に記載の固定キット。
【請求項９】
前記フレームの前記取り付け部（２１）は、前記貫通穴（２２）の周りで前記フランジ（２０）から突出するシャンク（２３）を含み；前記終端縁（２５）は前記シャンク（２３）において得られる、請求項１〜８のいずれか一項に記載の固定キット。
【請求項１０】
前記フレームの前記取付け部の前記シャンク（２３）は、前記第１の係合要素の各弾性ウイングの前記保持歯の前記段部（６２）において得られるハウジング（６８）に係合するように、該シャンクの前記縁（２５）から突出する環状リブ（２６）を含む、請求項９に記載の固定キット。
【請求項１１】
前記フレームの前記取り付け部（２１）は、前記貫通穴（２２）の周りに配置されるカラー（２７）を有し、該カラー（２７）は、前記フランジ（２０）から前記シャンク（２３）とは反対方向に突出し、前記カラー（２７）は、前記固定装置の前記中間のプレート（５０）を受け入れるのに好適な座部（２５）を形成する、請求項９又は１０に記載の固定キット。
【考案の詳細な説明】
【技術分野】
【０００１】  本考案は、例えば車両フレーム又は車体の一部等の支持プレートにラウドスピーカ又はアンプを固定するのに使用される、ラウドスピーカ又はアンテナアンプのフレームの固定キットに関する。
【背景技術】
【０００２】  種々のラウドスピーカ固定システムが既知であり、これは概して、ラウドスピーカフレームを支持プレートに固定するためのねじ又はボルトを提供する。そのような固定システムは、ラウドスピーカを支持プレートに取り付けるとともに支持プレートから取り外すために、作業者が例えばねじ回し又はレンチ等の工具を使用する必要があることによって価値が損なわれる。【０００３】  そのような欠点は、ラウドスピーカが車両に取り付けられるときに特に悪化する。実際には、ラウドスピーカを交換又は修理のために車両から外す必要がある場合、工具を使用し、幾つかの場合には、ラウドスピーカ固定手段へのアクセスを有するために、車体のパーツを取り外すことが必要である。そのような作業は複雑であり、時間がかかることが明白である。【０００４】  特許文献１は、スピーカフレームをプレートに固定するための取り付け装置が設けられたスピーカ取り付け構造を開示している。各取り付け装置は、受け入れセクションに係合する第１の係合要素、及び、取り付けプレートの穴に係合する第２の係合要素を備える。第１の係合要素は、第１の係合要素のねじ穴に螺入されるねじによってスピーカフレームに固定される。第２の係合要素には、プレートの穴を通るとともにプレートに係合する弾性手段が設けられる。第１の係合要素に螺入されるねじを緩めるために、スピーカ等を取り外すのに工具が必要である。
【先行技術文献】
【特許文献】
【０００５】
【特許文献１】欧州特許第１６７２９５５号明細書
【考案の概要】
【考案が解決しようとする課題】
【０００６】  本考案の目的は、多用途、実用的であり、設置及び取り外しが簡単である、ラウドスピーカ又はアンプ固定キットを提供することによって、従来技術の欠点を排除することである。【０００７】  本考案の別の目的は、信頼性が高いと同時に安価であり、作製が容易である、そのようなラウドスピーカ又はアンプ固定キットを開示することである。
【課題を解決するための手段】
【０００８】  これらの目的は、独立請求項である請求項１の特徴を有する本考案によって達成される。【０００９】  有利な実施形態は従属項から分かる。【００１０】  本考案の固定キットは、ラウドスピーカ又はアンプフレームを支持プレートに固定するのに使用される。そのような固定キットは：
−ラウドスピーカ又はアンプを支持するフレームであって；貫通穴が設けられる複数の取り付け部を有する、フレーム、
−複数の貫通穴が設けられる支持プレート、及び
−フレームを支持プレートに固定するための複数の固定装置
を備える。【００１１】  各固定装置は：
−中間のプレート、
−フレームの上記取り付け部に係合する、中間のプレートの一方の側から突出する第１の係合要素、及び
−支持プレートの上記貫通穴に係合する、中間のプレートの反対側から突出する第２の係合要素
を備える。【００１２】  第１の係合要素及び第２の係合要素は、弾性的なクリック連結モードで係合するのに好適な、弾性的な係合要素である。【００１３】  フレームの取り付け部はフランジを含み、この場合、上記貫通穴は、貫通穴の周りに終端縁を形成するように得られる。【００１４】  固定装置の第１の係合要素は、上記中間のプレートから突出する２つの弾性ウイングを含み、各弾性ウイングは、フレームの取り付け部の上記終端縁に係合する段部を画定するように外方に突出する保持歯を有する。【００１５】  本考案による固定キットの利点は明白である。そのような固定キットは、固定装置の第１の係合要素及び第２の係合要素が、弾性的なクリック連結モードで対応する取り付け部及び穴に連結されるように、固定装置をフレーム及び支持プレートに向かって手動で単純に押すことによって、ラウドスピーカ又はアンプフレーム及び支持プレートに容易に固定することができる。【００１６】  第１の係合要素の特別な構造は、いかなる工具も使用することなく、第１の係合要素を支持フレームから手動で離脱させることを可能にする。【００１７】  本考案の更なる特徴は、添付の図面に示されているような、単に例示的であり限定的ではない実施形態に言及する以下の詳細な説明から明らかになるであろう。
【図面の簡単な説明】
【００１８】
【図１】本考案によるラウドスピーカ固定キットの分解斜視図であり、ラウドスピーカ及び支持プレートのフレームは部分的に分断されている。
【図２】図１のラウドスピーカのフレームの一部の断面図である。
【図３】図１の固定キットの固定装置の斜視図である。
【図４】図３の固定装置の断面図である。
【図５】組み付けられた状態の、図１の固定キットの斜視図である。
【図６】図５と同じ図であるが、反転した位置にある。
【図７】図５の固定キットの断面図である。
【図８】本考案による、車両用のアンテナアンプの固定キットの分解斜視図である。
【図９】組み付けられた状態の、図８の固定キットの反転した図である。
【考案を実施するための形態】
【００１９】  図１〜図７を参照すると、参照符号１で全体的に示される、本考案の固定キットが記載されている。
【００２０】  ここで図１を参照すると、固定キット（１）は：
−ラウドスピーカを支持する、ラウドスピーカのフレーム（２）、
−支持プレート（３）、及び
−ラウドスピーカのフレーム（２）を支持プレート（３）に固定するための複数の固定装置（４）
を備える。
【００２１】  図２を参照すると、フレーム（２）は、フレーム（２）から外側に突出するフランジ（２０）を含む。取り付け部（２１）が、各フランジ（２０）に設けられ、固定装置（４）を受け入れることが意図される。
【００２２】  各取り付け部（２１）は、終端縁（２５）を形成するようにフランジ（２０）を通る貫通穴（２２）を含む。シャンク（２３）が、穴（２２）の周りに配置され、フランジ（２０）から支持プレート（３）とは反対の方向に突出する。シャンク（２３）は、シャンク（２３）を通る穴（２４）（図１）を有する。
【００２３】  終端縁（２５）はシャンク（２３）の上に画定される。環状リブ（２６）が、保持歯を形成するためにシャンクの縁（２５）から突出する。
【００２４】  カラー（２７）が、貫通穴（２２）の周りに配置され、フランジ（２０）から上記シャンク（２３）とは反対の方向に突出する。カラー（２７）は、フランジの貫通穴（２２）の周りに座部（２５）を画定する。
【００２５】  図１を参照すると、支持プレート（３）は、固定装置（４）を受け入れることが意図される複数の貫通穴（３０）を含む。
【００２６】  図３及び図４を参照すると、固定装置（４）は中間のプレート（５０）を含み、軸（Ａ）が、中間のプレートに直交するとともに中間のプレートの中心を通る。
【００２７】  第１の係合要素（６）及び第２の係合要素（７）が、中間のプレート（５０）から反対の方向に突出する。
【００２８】  第１の係合要素（６）は、中間のプレートの軸（Ａ）に対して平行であるとともに、中間のプレートの軸（Ａ）に対して直径方向に反対位置に配置される２つの弾性ウイング（６０）を含む。このように、自由なスペース（Ｓ）が２つの弾性ウイング（６０）間に残り、弾性ウイングが自由なスペース（Ｓ）内で自由に内方に曲がることができるようにする。
【００２９】  第１の係合要素の各弾性ウイング（６０）は、段部（６２）を画定するように外方に突出する保持歯（６１）を含む。「Ｃ字形状」のハウジングを形成する溝が段部（６２）において得られる。
【００３０】  中間のプレート（５０）と保持歯の段部（６２）との間の距離は、シャンク（２３）の高さよりも僅かに高い。
【００３１】  第１の係合要素の弾性ウイングの歯（６１）は、丸みを帯びた終端縁（６５）によって接合される外側テーパ状面（６３）及び内側テーパ状面（６４）によって画定されるテーパ状の形状を有する。したがって、歯（６１）は、歯の終端縁（６５）に向かって進む低減する厚さを有するテーパ状の形状を有する。
【００３２】  第２の係合要素（７）は、中間のプレートの軸（Ａ）の方向に中間のプレート（５０）から突出するステム（７０）を含む。
【００３３】  第２の係合要素のステム（７０）は、ステム（７０）から径方向に突出する頭部（７１）で終端する。
【００３４】  ２つの弾性ウイング（７２）が、第２の係合要素のステムの頭部から中間のプレート（５０）に向かって突出する。第２の係合要素の弾性ウイングは、中間のプレートの軸（Ａ）に対して直径方向に反対の位置に、第１の係合要素の弾性ウイング（６０）と実質的に位置合わせして配置される。
【００３５】  第２の係合要素の各弾性要素（７２）は、傾斜した終端縁（７５）によって接合される外側テーパ状面（７３）及び内側テーパ状面（７４）によって画定されるテーパ状の形状を有する。第２の要素の弾性ウイング（７２）は、頭部（７１）から弾性ウイングの終端縁（７５）に向かって進む低減する厚さを有するテーパ状の形状を有する。
【００３６】  好ましくは、第２の係合要素の各弾性ウイングの終端縁（７５）は、３０°〜６０°の角度（α）だけ中間のプレート（５０）に対して傾斜する。
【００３７】  有利には、第２の係合要素の各弾性ウイングの終端縁（７５）は、支持プレート（３）の異なる厚さに調整するために、刻み目のある又はギザギザのある面を有する。
【００３８】  図１、図５〜図７を参照して、固定キット（１）の組み付けを記載する。
【００３９】  固定装置の第１の係合要素（６）は、ラウドスピーカフレームの取り付け部の貫通穴（２２）に挿入される。
【００４０】  第１の係合要素の弾性ウイングの保持歯（６１）の外側テーパ状面（６３）は、シャンク（２３）の内面に対して擦れ、ウイング（６０）は弾性的に内方に曲がる。保持歯の段部（６２）がフレームの取り付け部のシャンクの縁の環状リブ（２６）を越えると、弾性ウイング（６０）は元の位置に弾性的に戻り、フレームの取り付け部のシャンクの縁の環状リブ（２６）は、保持歯の段部のハウジング（６８）内に係合する。そのような状況では、固定装置の中間のプレート（５０）は、フレームのカラー（２７）によって画定されるハウジング（２５）内に配置される。したがって、固定装置（４）はフレームの取り付け部（２１）内にしっかりと保持される。
【００４１】  固定装置の第２の係合要素（７）は、支持プレートの貫通穴（３０）に挿入される。第２の係合要素の弾性ウイングの外側テーパ状面（６３）は、支持プレートの穴（３０）の内面に対して擦れ、弾性ウイング（７３）は弾性的に内方に曲がる。弾性ウイングの終端縁（７５）が支持プレートの穴（３０）を越えると、弾性ウイング（７２）は元の位置に弾性的に戻り、第２の係合要素の弾性ウイングの終端縁（７５）は、支持プレートを保持するように、支持プレートの穴（３０）の縁に対して停止する。
【００４２】  支持フレームへの第１の係合要素の固定作業、及び、支持プレートへの第２の係合要素の固定作業の双方は、いかなる工具も使用することなく、単に固定装置（４）をラウドスピーカのフレーム（２）に向かって手動で押すとともに固定装置（４）を支持プレートに向かって手動で押すことによって、手動で行われる。
【００４３】  ラウドスピーカフレームを固定装置（４）から離脱させるためには、保持歯の段部のハウジング（６８）がフレームのシャンクの環状リブ（２６）から離脱するように、２つの弾性ウイング（６０）を内方に押し、フレームを支持プレート（３）に対して引っ張ることが単に必要である。そのような作業は、いかなる工具も使用することなく、第１の係合要素の２つの弾性ウイングの保持歯（６１）を人差し指と親指との間で保持することによって、手動で行うことができる。このように、ラウドスピーカのフレーム（２）は、固定要素をフレームに固定したままにすることなく、また、いかなる工具も使用することなく、支持プレートから外される。
【００４４】  図８及び図９を参照すると、本考案の一実施形態が記載され、この場合、固定キットのフレーム（２）は、車両のアンテナアンプのボックスである。
【００４５】  この場合、フレーム（２）にはフランジ（２０）が常に設けられ、固定装置（４）の取り付け部（２１）を形成するように貫通穴（２２）が得られる。この場合、終端縁（２５）が、固定装置の第１の係合要素の弾性ウイング（６０）を保持するように、貫通穴（２２）の周りに常に形成される
【００４６】  当業者の届く範囲にあり、いずれの場合も本考案の範囲内に入る、多くの変形及び変更を本考案のこの実施形態に対して加えることができる。
【図１】
0003214076.tif 000003
【図２】
0003214076.tif 000004
【図３】
0003214076.tif 000005
【図４】
0003214076.tif 000006
【図５】
0003214076.tif 000007
【図６】
0003214076.tif 000008
【図７】
0003214076.tif 000009
【図８】
0003214076.tif 000010
【図９】
0003214076.tif 000011